(57)【要約】【課題】  横矢板の再利用を可能にすると共に、安全に且つ迅速に横矢板を撤去することができる横矢板の固定構造を簡易且つ安価な構成で実現する。【解決手段】  土留を行う壁面を覆う横矢板２を地中に打設された親杭１の間に掛け渡す横矢板の固定構造であって、横矢板２の一方の端部を、親杭１の縁部と壁面との間に、親杭１の縁部と重ねて配設すると共に、横矢板２の他方の端部を、壁面に直交する方向に親杭１の縁部と重ならない状態に、固定手段３を用いて親杭１に固定する。【選択図】        図１
2006057389.tif 000002
【特許請求の範囲】
【請求項１】
土留を行う壁面を覆う横矢板を地中に打設された親杭の間に掛け渡す横矢板の固定構造であって、
前記横矢板の一方の端部を、前記親杭の縁部と前記壁面との間に、前記親杭の縁部と重ねて配設すると共に、
前記横矢板の他方の端部を、前記壁面に直交する方向に親杭の縁部と重ならない状態に、固定手段を用いて前記親杭に固定する横矢板の固定構造。
【請求項２】
前記固定手段が、前記親杭の縁部と前記横矢板の他方の端部との間で生じるせん断力を負担する請求項１に記載の横矢板の固定構造。
【請求項３】
前記固定手段によって前記親杭と前記横矢板との間に生じる隙間を封じる隙間封止部材を設けてある請求項１または２に記載の横矢板の固定構造。
【請求項４】
前記固定手段が、前記親杭の縁部を把持可能なフォーク状の部材である請求項１〜３のいずれか１項に記載の横矢板の固定構造。
【請求項５】
前記固定手段が、前記フォーク状部分の開放端側に幅狭部を備えている請求項４に記載の横矢板の固定構造。
【請求項６】
前記固定手段のうち、前記横矢板に当接する領域であって前記固定手段の端部に、面取り加工部を設けてある請求項１〜５のいずれか１項に記載の横矢板の固定構造。
【発明の詳細な説明】
【技術分野】
【０００１】
本発明は、土留を行う壁面を覆う横矢板を地中に打設された親杭の間に掛け渡す横矢板の固定構造に関する。
【背景技術】
【０００２】
橋脚の基礎等の地中構造物を構築する場合、当該構築予定部を掘削する必要がある。その際、掘削部分の壁面が崩落するのを防止するために、掘削部分の周囲に間隔を開けて多数の親杭を打設しておき、その後当該部分の掘削を開始する。掘削を行いつつ、壁面が形成された部分には横矢板を順次取り付ける。このようにして、これらの親杭で囲まれた部分の土の崩落を防ぎながら掘削する。作業空間を形成し、地中構造物を構築した後、構造物と前記壁面との間は再び埋め戻される。このとき、横矢板を残す場合と、横矢板を撤去する場合とがある。横矢板を撤去せずにそのまま埋めてしまうと、横矢板が腐敗することにより、土壌汚染や地下水への影響が生じることがある。更に、例えば、道路下に地中構造物を構築した場合、腐敗した横矢板が埋設されていた部分が空洞化して道路が沈下し、車両の走行が困難になることがある。このため、地中構造物を構築する場所によっては、横矢板を撤去する必要が生じる場合がある。
従来は、横矢板の撤去に際して横矢板の略中央を作業者が電動ノコギリ等で切断して取除いていた。
また、別の横矢板を撤去する技術として、横矢板の両端に吊り用ベルトを固定し、吊り用ベルトの上端を引上げることで一度に横矢板を撤去する横矢板の撤去方法がある（例えば、特許文献１参照）。
【０００３】
【特許文献１】特開２００２−８８７５７号公報
【発明の開示】
【発明が解決しようとする課題】
【０００４】
しかしながら、横矢板を切断する方法では、横矢板には壁面側から土砂による圧力がかかっているため、横矢板の切断後、横矢板が作業者に向かって飛び出し、作業者の安全が確実に図れないという問題があった。また、横矢板を切断することから、横矢板を再利用することができない。
また、特許文献１の方法では、横矢板を上方に引上げるので、作業者の安全を図ると共に横矢板を再利用することができる。しかし、地中構造物の規模が大きい場合には、横矢板の数が非常に多くなることで、土砂による圧力及び横矢板の重さのために引上げに相当の力が必要となり、横矢板を撤去できない場合も考えられる。また、このような引上げの力に耐える吊り用ベルトやその固定金具等が必要となってコストがかかり、固定金具及び吊り用ベルトの設置に手間を要するといった問題があった。
【０００５】
本発明は上記の問題に鑑みてなされたものであり、その目的は、横矢板の再利用を可能にすると共に、安全に且つ迅速に横矢板を撤去することができる横矢板の固定構造を簡易且つ安価な構成で実現する点にある。
【課題を解決するための手段】
【０００６】
この目的を達成するための本発明に係る横矢板の固定構造の特徴構成は、土留を行う壁面を覆う横矢板を地中に打設された親杭の間に掛け渡す横矢板の固定構造であって、前記横矢板の一方の端部を、前記親杭の縁部と前記壁面との間に、前記親杭の縁部と重ねて配設すると共に、前記横矢板の他方の端部を、前記壁面に直交する方向に親杭の縁部と重ならない状態に、固定手段を用いて前記親杭に固定する点にある。
即ち、上記特徴構成によれば、壁面に直交する方向に親杭の縁部と横矢板の他方の端部とが重ならない状態で横矢板を固定するので、固定手段を取り除くだけで容易に横矢板を親杭から取り外すことができ、取り外し作業を迅速に行うことができる。そして、横矢板を切断する必要がないことから、横矢板の取外しの際に、壁面からの土砂による圧力を受けて横矢板が飛び出すことがあっても、横矢板の飛び出す軌跡から退避した状態で固定手段を取り外すことができる。これによって、横矢板の取外し作業の安全を担保することができる。また、横矢板を切断する必要がないので、横矢板を再利用することができる。
【０００７】
この目的を達成するための本発明に係る横矢板の固定構造の他の特徴構成は、前記固定手段が、前記親杭の縁部と前記横矢板の他方の端部との間で生じるせん断力を負担する点にある。つまり、このように構成すれば、固定手段の断面を小さくすることができ、固定手段をコンパクトに形成することができる。
【０００８】
更に、他の特徴構成は、前記固定手段によって前記親杭と前記横矢板との間に生じる隙間を封じる隙間封止部材を設けてある点にある。例えば、固定手段を親杭の縁部を把持するようにコの字状部材で形成すると、固定手段の設置間では、親杭と横矢板との間に隙間が生じることとなる。このような場合に、隙間を封じる隙間封止部材を設ける構成にすれば、土砂等をより良好に防ぐことができる。
【０００９】
また、前記固定手段が、前記親杭の縁部を把持可能なフォーク状の部材であってもよく、このように構成すれば、固定手段の親杭への取付けが容易になり、簡単な構造で固定手段を作製することができる。更に、前記固定手段が、前記フォーク状部分の開放端側に幅狭部を備えている構成であれば、親杭の縁部を挟み込むだけで、幅狭部の弾性により固定手段が固定されるので、設置の際の位置決めが容易になる。
【００１０】
更に、前記固定手段のうち、前記横矢板に当接する領域であって前記固定手段の端部に、面取り加工部を設けてあるのも好ましい。壁面側からの土砂による圧力を受けて横矢板が固定手段に押し付けられると、固定手段の角によって横矢板が破損したり凹んだりすることが考えられる。横矢板に凹み等が生じると、横矢板の凹み等に固定手段が引っかかり固定手段を取除くことが困難になる。また、横矢板の再利用が困難になる。従って、固定手段に面取り加工部を設けてあれば、破損や凹み等を効果的に防止することができ、横矢板の再利用、固定手段の撤去を良好に行うことができる。
【発明を実施するための最良の形態】
【００１１】
以下、本発明に係る横矢板の固定構造の第一実施形態を図面に基づいて説明する。
図１は、本発明に係る横矢板の固定構造を示す斜視図、図２は、固定手段３の設置側の部分断面図、図３は、固定手段３の設置側の部分正面図である。
【００１２】
本発明に係る横矢板の固定構造は、図１乃至図３に示すように、地中に打設された親杭１の間に掛け渡す横矢板２を固定するために、横矢板２の一方の端部を、親杭１の縁部と壁面との間に、親杭１の縁部と重ねて配設すると共に、横矢板２の他方の端部を、壁面に直交する方向に親杭１の縁部と重ならない状態に、固定手段３を用いて親杭１に固定する。更に、本実施形態では、各固定手段３の間に、親杭１と横矢板２との間の隙間を封じる隙間封止部材６を設けてある。また、固定手段３を親杭１に設置する際に、固定手段３を位置決めするくさび部材７が設置されている。
【００１３】
親杭１は、本実施形態では、断面がＨ状のＨ形鋼であり、一定間隔をおいて地面に打設される。ここで用いるＨ形鋼は、例えば、３００ｍｍ×３００ｍｍ程度のサイズのものを用いる。
【００１４】
横矢板２の長手方向の長さは、親杭１の打設間隔に応じて設定される。詳細には、横矢板２の一端を親杭１に差し込んで係止した状態で、もう一方の端部が隣接する親杭１のフランジ面に引っかかることなく壁面側に位置させることができるように設定する。横矢板２は、例えば、厚さ約６０ｍｍ、高さ約２００ｍｍの木製のものを用いる。この他にも、樹脂製のもの、金属製のもの、及び、コンクリート製のもの等を適宜用いることができ、このような部材であれば横矢板２をより再利用し易くなる。
【００１５】
固定手段３は、親杭１のフランジ面を把持可能なフォーク状の部材であり、親杭１に横矢板２と共に設置された状態で、親杭１の縁部と横矢板２の他方の端部との間で生じるせん断力を負担するように構成されている。詳細には、図４に示すように、断面がコの字状に形成され、例えば、長手方向の長さ１２０ｍｍ、幅５０ｍｍ、厚さ１６ｍｍ、フォーク状部分４の一辺４ａの幅１５ｍｍ、フォーク状部分４の溝４ｂの幅２０ｍｍ、フォーク状部分４の長手方向の長さ５０ｍｍに設定されている。尚、固定手段３をコの字状に形成し、せん断力を負担するように構成したので、曲げモーメントがかからず、固定手段３の厚みを薄くすることができる。
【００１６】
更に、ここでの固定手段３には、横矢板２に当接する領域の端部に、面取り加工部５を設けてあり、Ｒ１０ｍｍに設定されている。このように面取り加工部５を設けてあれば、壁面側からの土砂の圧力によって固定手段３が横矢板２に押し付けられても、横矢板２に破損や凹みが生じ難くなり、固定手段３の取り外し作業における取扱性を損うことがない。また、横矢板２が破損し難いため、横矢板２を良好に再利用することができる。
【００１７】
尚、面取り加工部５は、一方の面のみに設ける構成であっても良いが、両面に設ける構成とするのも好ましい実施態様である。こうすると、固定手段３を親杭１に設置する際に横矢板２に向ける方向を選ばなくてすみ、親杭１への設置作業が容易となる。
位置決め部材は、ここでは、断面が三角形状のくさび部材７である。
【００１８】
続いて、固定手段３を用いた横矢板２の設置及び撤去について図面を基に説明する。
固定手段３は、横矢板２の大きさや土圧により固定手段３にかかる力等を考慮して適宜必要な数を用いる。例えば、固定手段３は、１枚の横矢板２に対して２つずつ設置し、フォーク状部分４の溝４ｂにより親杭１の一方の縁部を挟持させる。固定手段３は、横矢板２の上端部から下方に向けて約５０ｍｍの位置、及び、下端部から上方に向けて約５０ｍｍの位置に配設する。尚、固定手段３は、一枚の横矢板２に対して、一つだけ用いるものであっても良い。即ち、想定される土圧に対し、固定手段３が耐えうるものであり、且つ、横矢板２の表面が固定手段３によって過度に凹み変形しないものであれば何れの態様で固定手段３を用いても良い。
【００１９】
隙間封止部材６は、各固定手段３の間に２ヶ所で釘止めして固定し、土砂が親杭１と横矢板２との隙間から漏れ出るのを防止する。くさび部材７は、固定手段３を親杭１の所定の位置に配置した状態で、親杭１のフランジ面側から固定手段３のフォーク部分４の溝４ｂに指し込み、そのくさび部材７で固定手段３を固定し、親杭１に対して位置決めする。
このように各部材を配設すれば、横矢板２は土砂等による壁面側からの圧力により固定手段３の側に押圧され固定される。
【００２０】
横矢板２を撤去する際には、固定手段３をハンマー等を用いて親杭１から取り外す。固定手段３を取り外すと、横矢板２の一端を親杭１よりも手前に引き出すことができるので、横矢板２を親杭１から取り外す作業が容易に且つ迅速に行える。また、作業者は、横矢板２の正面から外れた位置で固定手段３を取り外すことで、横矢板２の万一の跳ね出しに対処することができ安全を確保することができる。更に、横矢板２及び固定手段３は再利用可能であるから、部品にかかるコストを低減することができる。
【００２１】
次に、本発明に係る横矢板の固定構造の第二実施形態を図面に基づいて説明する。
上記第一実施形態の固定手段３は、くさび部材７により親杭１に固定していたが、本実施形態の固定手段３は、フォーク状部分４の溝４ｂの内面に開放端側で幅狭部４ｃを有し、固定手段３の弾性力により親杭１を挟持して固定する。
【００２２】
図５は、本実施形態における固定手段３の一例を示している。固定手段３のフォーク状部分４の一辺４ａが、先端部に向かう程幅が広くなるように設定されており、これが幅狭部４ｃを構成している。
【００２３】
図６は、本実施形態における固定手段３の更に他の一例を示している。この固定手段３の幅狭部４ｃは、フォーク状部分４の一方の先端部近傍溝側に設けられた凸部として構成されている。
【００２４】
このように固定手段３を形成することで、親杭１への設置時に、固定手段３がその弾性力により親杭１の縁部を挟持して固定されるので、固定手段３の位置決めが容易になる。更に、固定手段３を親杭１に固定する位置決め部材が不要となり、部品点数を減らすことができる。
【００２５】
本発明に係る横矢板の固定構造の別実施形態を図面に基づいて説明する。
上記第一実施形態では、くさび部材７を用いて固定手段３を位置決めし、第二実施形態では、固定手段３に幅狭部４ｃを設けて位置決めしたが、本実施形態では、固定手段３に設けたワイヤ８によって固定手段３を親杭１に固定する。
【００２６】
詳細には、図７に示すように、予めワイヤ８をフォーク部分４の溝４ｂの底部に通しておき、親杭１を挟み込んだ後に、ワイヤ８を引き出すようにして、親杭１のフランジ面と固定手段３の一辺４ａとの間に位置させる。これによって、親杭１に固定手段３を固定する。横矢板２を取り外す際には、ワイヤ８全体を引き出すことで固定手段３が親杭１に固定される力が弱まり、固定手段３の取外しが容易になる。
尚、固定手段３を親杭１に固定する部材は、くさび部材７やワイヤ８だけでなく、鉄片等であっても良い。また、固定手段３の一辺４ａにボルト締め用孔を設け、ボルト締めする構成とするのも好ましい実施態様である。
【図面の簡単な説明】
【００２７】
【図１】本発明に係る横矢板の固定構造を示す斜視図
【図２】本発明に係る横矢板の固定構造における固定部材の設置側の部分断面図
【図３】本発明に係る横矢板の固定構造における固定部材の設置側の部分正面図
【図４】本発明に係る横矢板の固定構造の固定手段を示す模式図
【図５】別実施形態における固定手段の一例を示す説明図
【図６】別実施形態における固定手段の一例を示す説明図
【図７】別実施形態における固定手段の一例を示す説明図
【符号の説明】
【００２８】
１    親杭
２    横矢板
３    固定手段
４    フォーク状部分
４ｃ  幅狭部
５    面取り加工部
６    隙間封止部材
【図１】
2006057389.tif 000003
【図２】
2006057389.tif 000004
【図３】
2006057389.tif 000005
【図４】
2006057389.tif 000006
【図５】
2006057389.tif 000007
【図６】
2006057389.tif 000008
【図７】
2006057389.tif 000009